(57)【特許請求の範囲】
【請求項１】
装置筺体に穿設した表示窓を覆うプロテクタと、このプロテクタの裏面側に隙間を隔てて設けられた液晶表示器とからなる液晶表示器の取付構造において、前記プロテクタの裏面に間隔をおいてばね受けを固定し、前記液晶表示器をこのばね受けと前記プロテクタとの間でプロテクタに対して遠近自在になるように支持するとともに、前記ばね受けと液晶表示器との間にこの液晶表示器を前記プロテクタの裏面に付勢する付勢部材を設け、かつ前記プロテクタの裏面に前記液晶表示器の表示部以外の表面に係合する突起を突設したことを特徴とする液晶表示器の取付構造。
【発明の詳細な説明】
【０００１】
【発明の属する技術分野】
本発明は、電子機器等の表示用として用いられる液晶表示器の取付構造に関する。
【０００２】
【従来の技術】
一般に、この種の液晶表示器の取付構造においては、液晶表示器を覆うプロテクタが外力により押圧されると、弾性変形したプロテクタが液晶表示器の表面を押圧して、液晶表示器の表示ガラスに傷が付いたり割れたりするので、これを防止するために、プロテクタと液晶表示器の表面表示ガラスとの間に隙間を設けている。
【０００３】
図４は従来の液晶表示器の取付構造の断面図を示したものである。同図に基づいてこれを説明すると、符号２で示すものは、金属の板材で形成した装置の筺体であって、長方形の表示窓２ａが穿設され、この表示窓２ａの周縁の裏面の４箇所には、４本のスタッドボルト３（２本のスタッドボルト３は図示を省略）が溶接によって垂設されている。５は平板状の透明な樹脂材によって平面視が長方形に形成されたプロテクタであって、表面に上述した表示窓２ａよりも外形がわずかに小さい長方形の露呈部５ａが突出形成され、この露呈部５ａを表示窓２ａに嵌合させてスタッドボルト３に螺合させたナット６によって筺体２の裏面に取り付けられている。
【０００４】
１０は液晶表示器であって、裏面に電子部品が搭載されたプリント配線板１１と、このプリント配線板１１上にフレーム１６ａ，１６ｂによって固定された導電ゴム１４および表示ガラス１５と、これら導電ゴム１４および表示ガラス１５によって囲まれた空間に密封された液晶１３とによって形成されている。この液晶表示器１０は、４個のスリーブ２１を介してねじ２２を上述したプロテクタ５の裏面に螺合させることにより、表示ガラス１５の表面とプロテクタ５の裏面間に厚さｔの隙間１９が設けられるようにして、プロテクタ５の裏面側に取り付けられている。
【０００５】
【発明が解決しようとする課題】
しかしながら、隙間１９の厚さｔを大きく設定すると、液晶表示器の視野角が狭くなり、液晶表示器としての表示機能が損なわれてしまうので、厚さｔの大きさは制限されている。このため、図５に示すように、プロテクタ５の露呈部５ａにＰなる外力を加えると、露呈部５ａが弾性変形して湾曲し、隙間１９を設けているにもかかわらず、露呈部５ａが表示ガラス１５の表面を押圧し、表示ガラス１５に傷を付けるおそれがあった。特に、液晶表示器１０の表示機能を向上させるために、液晶表示器１０の外形を大きくすると、プロテクタ５の露呈部５ａの外形も大きくなるので、露呈部５ａの弾性変形量も大きくなって、表示ガラス１５を破損させるおそれもあった。
【０００６】
本発明は上記した従来の問題に鑑みなされたものであり、その目的とするところは、表示ガラスに傷を付けたり破損させたりするのを防止した液晶表示器の取付構造を提供することにある。
【０００７】
【課題を解決するための手段】
この目的を達成するために、請求項１記載の発明は、装置筺体に穿設した表示窓を覆うプロテクタと、このプロテクタの裏面側に隙間を隔てて設けられた液晶表示器とからなる液晶表示器の取付構造において、前記プロテクタの裏面に間隔をおいてばね受けを固定し、前記液晶表示器をこのばね受けと前記プロテクタとの間でプロテクタに対して遠近自在になるように支持するとともに、前記ばね受けと液晶表示器との間にこの液晶表示器を前記プロテクタの裏面に付勢する付勢部材を設け、かつ前記プロテクタの裏面に前記液晶表示器の表示部以外の表面に係合する突起を突設したものである。
したがって、外力によってプロテクタが液晶表示器側に押圧されると、突起を介して液晶表示器がプロテクタから離間する方向に移動するので、液晶表示器とプロテクタとの隙間が保たれる。また、突起をプロテクタに一体に形成することができる。また、プロテクタの突起が液晶表示器に係合する部位は表示部以外の部位になる。
【０００８】
【発明の実施の形態】
以下、本発明の実施の形態を図に基づいて説明する。図１は本発明に係る液晶表示器の取付構造を示す平面図、図２は同じく断面図、図３は同じく動作状態を説明するための断面図である。
これらの図において、上述した図４に示す従来技術において説明した同一または同等の部材については同一の符号を付し、詳細な説明は適宜省略する。
図２において、プロテクタ５の裏面には、４個のボス５ｂ（２個のボス５ｂは図示を省略）が一体に突設されているとともに、図１に示すように、係合部材としての相対向する二対のリブ５ｃ，５ｃ，５ｄ，５ｄが、液晶表示器１０のフレーム１６ａ，１６ａ，１６ｂ，１６ｂに対応して突設されている。プロテクタ５の表面には、図１に示すように、これらリブ５ｃ，５ｃ，５ｄ，５ｄの内側に位置する長方形で囲まれた部位５ｅを除く部位に不透明処理が施されており、透明な部位５ｅが表示部を形成している。
【０００９】
プロテクタ５のボス５ｂには、スリーブ８を介してボス５ｂに螺合したねじ９によってばね受けとしての固定プレート７が取り付けられ、この固定プレート７の中央部には、長方形の逃げ穴７ａが穿設されている。液晶表示器１０のプリント配線板１１の四隅には、４個の摺動孔１１ａ（２個の摺動孔１１ａは図示を省略）が穿設されており、これら摺動孔１１ａが、上述したスリーブ８に嵌挿されることにより、液晶表示器１０はこのスリーブ８をガイドして上下動自在に支持される。また、プリント配線板１１と固定プレート７との間には、スリーブ８に嵌合された圧縮コイルばね１７が介装されており、プリント配線板１１は図中上方に付勢され、ボス５ｂに係合している。この状態において、液晶表示器１０のフレーム１６ａ，１６ｂが、プロテクタ５のリブ５ｃ，５ｄに係合している。
【００１０】
このような構成において、図３に示すように、プロテクタ５の露呈部５ａにＰなる外力が加えられた場合、露呈部５ａは液晶表示器１０側に弾性変形する。このとき、液晶表示器１０のフレーム１６ａ，１６ｂに、プロテクタ５のリブ５ｃ，５ｄが当接しているので、露呈部５ａの変形量の最も大きい部位に対応したリブ５ｄとフレーム１６ｂとの係合によって、液晶表示器１０が図中下方に押圧される。したがって、圧縮コイルばね１７の付勢力に抗して、スリーブ８をガイドとしてプリント配線板１１の摺動孔１１ａが摺動するので、液晶表示器１０が下方に移動する。
【００１１】
このため、露呈部５ａが弾性変形しても、弾性変形が最も大きい露呈部５ａのリブ５ｃ，５ｄに囲まれた部位の中央部と、液晶表示器１０の表示ガラス１５の中央部との間の隙間１９が保たれる。したがって、露呈部５ａが表示部１０ａに当接して、表示部１０ａを押圧するようなことがなく、表示ガラス１５の破損が防止される。また、リブ５ｃ，５ｄは、プロテクタ５の表示部５ｅに対応した部位以外に位置するフレーム１６ａ，１６ｂに当接しているので、仮に、リブ５ｃ，５ｄの当接によって表示ガラス１５に傷が付いても、表示部１０ａによる表示に支障をきたすようなことがない。
【００１２】
なお、本実施の形態では、係合部材として、プロテクタ５に突設したリブ５ｃ，５ｄとしたが、フレーム１６ａ，１６ｂの肉厚を通常のものより厚く形成してもよく、また、プロテクタ５とフレーム１６ａ，１６ｂとは別の部材で形成してもよい。また、ばね受けとして固定プレート７としたが、スリーブ８の端部にフランジを形成し、このフランジをばね受けとしてもよい。また、スリーブ８に移動自在とした部材をプリント配線板１１としたが、液晶表示器１０を固定するブラケットでもよく種々の設計変更が可能である。また、液晶表示器１０を上方に付勢する部材として圧縮コイルばね１７としたが、フラットスプリングやゴム等弾性変形可能な部材でもよい。
【００１３】
【発明の効果】
以上説明したように請求項１記載の発明によれば、外力によってプロテクタが液晶表示器側に押圧されても、突起を介して液晶表示器がプロテクタから離間する方向に移動するので、液晶表示器とプロテクタとの隙間が保たれる。したがって、液晶表示器がプロテクタによって押圧されるようなことがないので、液晶表示器の表示部の破損が防止される。また、突起をプロテクタに一体に形成することができるので、製造が容易である。また、プロテクタの突起が液晶表示器に係合する部位は表示部以外の部位になり、仮に、傷が付いても表示に直接支障をきたすようなこともない。
【図面の簡単な説明】
【図１】本発明に係る液晶表示器の取付構造を示す平面図である。
【図２】本発明に係る液晶表示器の取付構造を示す断面図である。
【図３】本発明に係る液晶表示器の取付構造における動作状態を説明するための断面図である。
【図４】従来の液晶表示器の取付構造を示す断面図である。
【図５】従来の液晶表示器の取付構造における動作状態を説明するための断面図である。
【符号の説明】
２…筺体、５…プロテクタ、５ａ…露呈部、５ｃ，５ｄ…リブ、５ｅ…表示部、７…固定プレート、８…スリーブ、１０…液晶表示器、１１…プリント配線板、１３…液晶、１５…表示ガラス、１６ａ，１６ｂ…フレーム、１７…圧縮コイルばね、１９…隙間。
【図１】
0003567212.tif 000002
【図２】
0003567212.tif 000003
【図３】
0003567212.tif 000004
【図４】
0003567212.tif 000005
【図５】
0003567212.tif 000006